(57)【要約】  部屋に設置された複数の室内機に対応する複数のアイコン、及び、部屋のレイアウトを表す気流入力画面画像を表示する表示面を備える表示部（１５１）と、気流入力画面画像が表示された状態で、表示面において、気流を示す軌跡の入力を受け付ける入力部（１５２）と、入力された軌跡に対応する風向及び風量を、複数の室内機の少なくとも１つに設定するためのコマンドを送信する端末側通信部（１５５）とを備える。
2019087376.tif 000002
【特許請求の範囲】
【請求項１】
部屋の空気を調和するために前記部屋に設置される複数の室内機に設定を行う操作端末であって、
前記複数の室内機に対応する複数のアイコン、及び、前記部屋のレイアウトを表す気流入力画面画像を表示する表示面を備える表示部と、
前記気流入力画面画像が表示された状態で、前記表示面において、気流を示す軌跡の入力を受け付ける入力部と、
前記軌跡に対応する風向及び風量を、前記複数の室内機の少なくとも１つに設定するための第１コマンドを送信する端末側通信部と、を備えること
を特徴とする操作端末。
【請求項２】
前記第１コマンドを生成する端末側制御部をさらに備え、
前記入力部は、前記軌跡として、前記複数のアイコンの内の少なくとも１つのアイコンからの気流を示す直線の入力を受け付け、
前記端末側制御部は、前記直線における始点から終点への方向を、前記複数の室内機の内の、前記少なくとも１つのアイコンに対応する少なくとも１つの室内機の左右方向の風向として特定するとともに、前記直線の長さが長いほど前記少なくとも１つの室内機からの風量が増えるように、前記少なくとも１つの室内機の風量を特定し、前記特定された風向及び前記特定された風量を前記少なくとも１つの室内機に設定するための前記第１コマンドを生成すること
を特徴とする請求項１に記載の操作端末。
【請求項３】
前記端末側制御部は、前記少なくとも１つの室内機において左右方向の風向を調整する複数の左右風向ベーンの内、少なくとも１つの左右風向ベーンの向きを、前記特定された風向となるように設定するとともに、前記少なくとも１つの室内機におけるファンからの風量を、前記特定された風量となるように設定すること
を特徴とする請求項２に記載の操作端末。
【請求項４】
前記第１コマンドを生成する端末側制御部をさらに備え、
前記入力部は、前記軌跡として、前記複数のアイコンの内、第１アイコン及び第２アイコンを、前記第１アイコン及び前記第２アイコンの順番で経由する曲線の入力を受け付け、
前記端末側制御部は、前記曲線の内、前記第１アイコンと前記第２アイコンとの間の部分を直線に近似した近似直線における始点から終点への方向を、前記複数の室内機の内の、前記第１アイコンに対応する第１室内機の左右方向の風向として特定するとともに、前記第１アイコンと前記第２アイコンとの間の距離が長ければ長いほど前記第１室内機からの風量が増えるように、前記第１室内機の風量を特定し、前記特定された風向及び前記特定された風量を前記第１室内機に設定するための前記第１コマンドを生成すること
を特徴とする請求項１に記載の操作端末。
【請求項５】
前記端末側制御部は、前記第１室内機において左右方向の風向を調整する複数の左右風向ベーンの内、少なくとも１つの左右風向ベーンの向きを、前記特定された風向となるように設定するとともに、前記第１室内機におけるファンからの風量を、前記特定された風量となるように設定すること
を特徴とする請求項４に記載の操作端末。
【請求項６】
前記表示部は、前記複数のアイコン及び前記レイアウトを表すとともに、前記複数のアイコンに対応する前記複数の室内機における、前記少なくとも１つの左右風向ベーンの向き、及び、前記ファンからの風量を表す風向風量確認画面画像を表示すること
を特徴とする請求項３又は５に記載の操作端末。
【請求項７】
前記表示部は、前記複数のアイコン及び前記レイアウトを表すとともに、前記特定された風向及び前記特定された風量における前記部屋の温度の分布を表す温度分布確認画面画像を表示すること
を特徴とする請求項１から６の何れか一項に記載の操作端末。
【請求項８】
前記表示部は、前記複数のアイコン及び前記レイアウトを表す室内機選択画面画像を表示し、
前記入力部は、前記室内機選択画面画像が表示された状態で、前記表示面において、前記複数のアイコンの内、上下方向の風向を設定する２つの室内機に対応する２つのアイコンの選択の入力を受け付け、
前記表示部は、前記２つのアイコン、及び、前記２つのアイコンに対応する前記２つの室内機からの上下方向の風向を示す矢印を表す上下風向入力画面画像を表示し、
前記入力部は、前記上下風向入力画面画像が表示された状態で、前記表示面において、前記矢印の方向を変更する入力を受け付け、
前記端末側通信部は、前記変更された方向に応じて、前記２つの室内機の内の少なくとも何れか一方の上下方向の風向を、前記２つの室内機の内の少なくとも何れか一方に設定するための第２コマンドを送信すること
を特徴とする請求項１から７の何れか一項に記載の操作端末。
【請求項９】
コンピュータを、部屋の空気を調和するために前記部屋に設置される複数の室内機に設定を行う操作端末として機能させるプログラムであって、
前記コンピュータを、
前記複数の室内機に対応する複数のアイコン、及び、前記部屋のレイアウトを表す気流入力画面画像を表示する表示面を備える表示部、
前記気流入力画面画像が表示された状態で、前記表示面において、気流を示す軌跡の入力を受け付ける入力部、
前記軌跡に対応する風向及び風量を、前記複数の室内機の少なくとも１つに設定するための第１コマンドを送信する端末側通信部、として機能させること
を特徴とするプログラム。
【請求項１０】
部屋の空気を調和するために前記部屋に設置される複数の室内機及び前記複数の室内機に設定を行う操作端末を備える空調システムであって、
前記操作端末は、
前記複数の室内機に対応する複数のアイコン、及び、前記部屋のレイアウトを表す気流入力画面画像を表示する表示面を備える表示部と、
前記気流入力画面画像が表示された状態で、前記表示面において、気流を示す軌跡の入力を受け付ける入力部と、
前記軌跡に対応する風向及び風量を、前記複数の室内機の少なくとも１つに設定するための第１コマンドを送信する端末側通信部と、を備えること
を特徴とする空調システム。
【発明の詳細な説明】
【技術分野】
【０００１】
本発明は、操作端末、プログラム及び空調システムに関し、特に、室内機を操作することのできる操作端末及びプログラム並びにその操作端末を備える空調システムに関する。
【背景技術】
【０００２】
天井に取り付けるカセット型の室内機は、複数のベーンを備えており、近年、各ベーンの設定を独立して行うことができるようになってきている。このため、ユーザは、各ベーンの風向設定を行うことにより、気流をコントロールすることができる。
しかしながら、天井に取り付けられたカセット型の室内機の各ベーンの風向設定はわかりにくいため、所望する場所へ送風するために、ユーザが各ベーンの風向設定を行うことは、ユーザにとって、大きな手間となる。【０００３】
これに対して、例えば、特許文献１には、操作端末において、室内機から取得したカメラ画像、もしくは送風領域の環境の情報等に、風向設定した場合に送風可能な領域を重ね合わせて表示し、設定可能な領域を表示した上でユーザが領域を指定することで風向設定を可能にする発明が記載されている。
【先行技術文献】
【特許文献】
【０００４】
【特許文献１】特開２０１６−５６９７４号公報
【発明の概要】
【発明が解決しようとする課題】
【０００５】
従来の技術では、ユーザが複数の室内機の風向設定をしたい場合、個別に各ベーンの風向設定を行う必要があり、煩雑である。【０００６】
そこで、この発明は、上記のような課題を解決するためになされたもので、室内機の各ベーンの風向設定を容易に行うことができるようにすることを目的とする。
【課題を解決するための手段】
【０００７】
本発明の一態様に係る操作端末は、部屋の空気を調和するために前記部屋に設置される複数の室内機に設定を行う操作端末であって、前記複数の室内機に対応する複数のアイコン、及び、前記部屋のレイアウトを表す気流入力画面画像を表示する表示面を備える表示部と、前記気流入力画面画像が表示された状態で、前記表示面において、気流を示す軌跡の入力を受け付ける入力部と、前記軌跡に対応する風向及び風量を、前記複数の室内機の少なくとも１つに設定するための第１コマンドを送信する端末側通信部と、を備えることを特徴とする。【０００８】
本発明の一態様に係るプログラムは、コンピュータを、部屋の空気を調和するために前記部屋に設置される複数の室内機に設定を行う操作端末として機能させるプログラムであって、前記コンピュータを、前記複数の室内機に対応する複数のアイコン、及び、前記部屋のレイアウトを表す気流入力画面画像を表示する表示面を備える表示部、前記気流入力画面画像が表示された状態で、前記表示面において、気流を示す軌跡の入力を受け付ける入力部、前記軌跡に対応する風向及び風量を、前記複数の室内機の少なくとも１つに設定するための第１コマンドを送信する端末側通信部、として機能させることを特徴とする。【０００９】
本発明の一態様に係る空調システムは、部屋の空気を調和するために前記部屋に設置される複数の室内機及び前記複数の室内機に設定を行う操作端末を備える空調システムであって、前記操作端末は、前記複数の室内機に対応する複数のアイコン、及び、前記部屋のレイアウトを表す気流入力画面画像を表示する表示面を備える表示部と、前記気流入力画面画像が表示された状態で、前記表示面において、気流を示す軌跡の入力を受け付ける入力部と、前記軌跡に対応する風向及び風量を、前記複数の室内機の少なくとも１つに設定するための第１コマンドを送信する端末側通信部と、を備えることを特徴とする。
【発明の効果】
【００１０】
本発明の一態様によれば、室内機の各ベーンの風向設定を容易に行うことができる。
【図面の簡単な説明】
【００１１】
【図１】実施の形態に係る空調システムの構成を概略的に示すブロック図である。
【図２】室内機の構成を概略的に示すブロック図である。
【図３】（Ａ）及び（Ｂ）は、ハードウェア構成例を示すブロック図である。
【図４】リモコンの構成を概略的に示すブロック図である。
【図５】操作端末の構成を概略的に示すブロック図である。
【図６】ユーザが複数の室内機の風向及び風量の設定を情報端末から簡便に行う動作について説明するためのフローチャートである。
【図７】フロア入力画面画像の一例を示す概略図である。
【図８】レイアウト入力画面画像の一例を示す概略図である。
【図９】フロア画面画像の一例を示す概略図である。
【図１０】気流入力画面画像の一例を示す概略図である。
【図１１】気流入力画面画像における入力例を示す概略図である。
【図１２】風向風量確認画面画像の一例を示す概略図である。
【図１３】風向の割り当て方法を説明するための概略図である。
【図１４】温度分布の算出方法を説明するための概略図である。
【図１５】温度分布確認画面画像の一例を示す概略図である。
【図１６】室内機選択画面画像の一例を示す概略図である。
【図１７】上下風向入力画面画像の一例を示す概略図である。
【図１８】気流入力画面画像における入力の変形例を示す概略図である。
【図１９】変形例に係る室内機の構成を概略的に示すブロック図である。
【発明を実施するための形態】
【００１２】
図１は、実施の形態に係る空調システム１００の構成を概略的に示すブロック図である。
空調システム１００は、室内機１１０Ａ、１１０Ｂ、１１０Ｃと、設備管理装置としてのリモコン（リモートコントローラ）１３０Ａ、１３０Ｂ、１３０Ｃと、操作端末１５０とを備える。
室内機１１０Ａ、１１０Ｂ、１１０Ｃは、部屋の空気を調和するために、部屋に設置される。室内機１１０Ａは、リモコン１３０Ａにより制御され、室内機１１０Ｂは、リモコン１３０Ｂにより制御され、室内機１１０Ｃは、リモコン１３０Ｃにより制御される。
【００１３】
室内機１１０Ａ、１１０Ｂ、１１０Ｃの各々を特に区別する必要がない場合には、室内機１１０という。
リモコン１３０Ａ、１３０Ｂ、１３０Ｃの各々を特に区別する必要がない場合には、リモコン１３０という。
【００１４】
室内機１１０及びリモコン１３０は、有線で接続されている。リモコン１３０及び操作端末１５０は、無線で接続されている。
なお、室内機１１０及びリモコン１３０が、無線で接続されていてもよい。
【００１５】
室内機１１０は、４方向の吹き出し口を持ち、それぞれの吹き出し口に左右方向の風を制御するベーンと、上下方向を制御するベーンを備えている。室内機１１０は、例えば、空調用の天井カセット型の室内機であり、４方向に吹き出し口が付いている。
【００１６】
操作端末１５０は、リモコン１３０との間で通信を行い、各室内機１１０の風向及び風量の設定、吹き出し温度、並びに、吸い込み温度等の情報の読み出しを行うことができる。操作端末１５０は、ユーザに対してデータを表示したり、ユーザからの操作入力を受け付けたりすることができるようになっている。操作端末１５０は、例えば、スマートフォン又はタブレット端末等である。操作端末１５０は、静電式のタッチパネル、又は、カラー液晶ディスプレイを備えている。
【００１７】
図２は、室内機１１０の構成を概略的に示すブロック図である。
図２では、本実施の形態に関連する部分のみを示している。
室内機１１０は、ファン１１１と、左右風向ベーン１１２と、上下風向ベーン１１３と、モータ１１４と、機器側通信部１１５と、機器側制御部１１６とを備える。
【００１８】
ファン１１１は、風を送り出す装置であり、室内機１１０の内部で調整された空気を、室内機１１０の外部に排出する。ファン１１１は、モータ１１４からの動力に応じて、送り出す風の量（風量）を調節することができる。例えば、ファン１１１は、シロッコファンにより構成することができる。
左右風向ベーン１１２は、風のガイドとして機能するベーンを動かすことにより、ファン１１１からの風の向きを、左右方向に変える装置である。本実施の形態では、室内機１１０は、４つの吹き出し口を備えており、対応する４つの左右風向ベーン１１２を備えている。各々の左右風向ベーン１１２は、個別にベーンの向きを変えることができる。
上下風向ベーン１１３は、風のガイドとして機能するベーンを動かすことにより、ファン１１１からの風の向きを、上下方向に変える装置である。本実施の形態では、室内機１１０は、４つの吹き出し口を備えており、対応する４つの上下風向ベーン１１３を備えている。各々の上下風向ベーン１１３は、個別にベーンの向きを変えることができる。
モータ１１４は、ファン１１１に動力を与える。例えば、モータ１１４の回転速度を変更することで、ファン１１１から送り出す風量を変更することができる。
【００１９】
ここで、ファン１１１及びモータ１１４により、室内機１１０の風量を調整する風量調整部が構成される。
また、左右風向ベーン１１２及び上下風向ベーン１１３により、室内機１１０の風向を調整する風向調整部が構成される。
【００２０】
機器側通信部１１５は、リモコン１３０と通信するための通信インターフェースである。
機器側制御部１１６は、室内機１１０での処理を制御する。例えば、機器側制御部１１６は、機器側通信部１１５が受信したコマンドに従ってモータ１１４を制御することにより、ファン１１１から送り出す風量を調整する。また、機器側制御部１１６は、機器側通信部１１５が受信したコマンドに従って、左右風向ベーン１１２及び上下風向ベーン１１３の向きを変えて、ファン１１１からの風向を調整する。
【００２１】
以上に記載した機器側制御部１１６の一部又は全部は、例えば、図３（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００２２】
また、機器側制御部１１６の一部又は全部は、例えば、図３（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００２３】
図４は、リモコン１３０の構成を概略的に示すブロック図である。
図４でも、本実施の形態に関連する部分のみを示している。
リモコン１３０は、記憶部１３１と、第１通信部１３２と、第２通信部１３３と、制御部１３４とを備える。
また、図示しないが、リモコン１３０は、室内機１１０の運転状態を示すＬＥＤ（Ｌｉｇｈｔ  Ｅｍｉｔｔｉｎｇ  Ｄｉｏｄｅ）を備える。
【００２４】
記憶部１３１は、リモコン１３０での処理に必要な情報を記憶する。例えば、記憶部１３１は、自装置に接続されている室内機１１０の風向及び風量の設定、吹き出し温度、並びに、吸い込み温度等の情報を記憶する。
第１通信部１３２は、操作端末１５０と通信を行う通信インターフェースである。本実施の形態では、第１通信部１３２は、無線を用いて操作端末１５０と通信を行う。
第２通信部１３３は、室内機１１０と通信を行う通信インターフェースである。
制御部１３４は、リモコン１３０での処理を制御する。例えば、制御部１３４は、操作端末１５０からの、接続された室内機１１０の確認要求に対して、第１通信部１３２を介して応答する。ここでの応答では、制御部１３４は、接続された室内機１１０を識別することのできる識別情報を通知するものとする。
また、制御部１３４は、操作端末１５０からのコマンド（元コマンド）を、室内機１１０が解釈できるコマンド（変換コマンド）に変換する。
【００２５】
以上に記載した制御部１３４の一部又は全部は、例えば、図３（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００２６】
また、制御部１３４の一部又は全部は、例えば、図３（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００２７】
図５は、操作端末１５０の構成を概略的に示すブロック図である。
図５でも、本実施の形態に関連する部分のみを示している。
操作端末１５０は、表示部１５１と、入力部１５２と、端末側通信部１５３と、端末側記憶部１５４と、端末側制御部１５５とを備える。
【００２８】
表示部１５１は、各種画面画像を表示する表示面を備える。
入力部１５２は、ユーザから操作の入力を受け付ける。例えば、入力部１５２は、ユーザが表示部１５１の表示面上に行った操作位置を読み取り、その軌跡又は押下位置を特定し、ユーザの指示を受け取る。
具体的には、表示部１５１及び入力部１５２は、タッチパネルにより構成することができる。
【００２９】
端末側通信部１５３は、リモコン１３０と通信を行う通信インターフェースである。本実施の形態では、端末側通信部１５３は、無線を用いてリモコン１３０と通信を行う。
端末側記憶部１５４は、操作端末１５０での処理に必要な情報を記憶する。例えば、端末側記憶部１５４は、室内機１１０が設置されている建物内のフロアを示す建物情報、並びに、各フロアにおいて、室内機１１０が設置されている部屋の形状及びサイズを示すフロア情報を記憶する。
【００３０】
端末側制御部１５５は、操作端末１５０での処理を制御する。例えば、端末側制御部１５５は、室内機１１０に設定するためのコマンドを生成し、生成されたコマンドを端末側通信部１５３に送信させる。
例えば、端末側制御部１５５は、気流を示す軌跡として、直線が入力された場合に、その直線における始点から終点への方向を、複数の室内機１１０の内、１つのアイコンに対応する１つの室内機１１０の左右方向の風向として特定するとともに、その直線の長さが長いほど、その１つの室内機１１０からの風量が増えるように、その１つの室内機１１０の風量を特定し、特定された風向及び特定された風量を、その１つの室内機１１０に設定するためのコマンドを生成する。
【００３１】
以上に記載した端末側制御部１５５の一部又は全部は、例えば、図３（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００３２】
また、端末側制御部１５５の一部は、例えば、図３（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００３３】
図６は、ユーザが室内機１１０の風向及び風量の設定を情報端末１０１から簡便に行う動作について説明するためのフローチャートである。
【００３４】
ユーザが、設定操作のためのアプリケーションを実行する指示を操作端末１５０の入力部１５２に入力すると、端末側制御部１５５は、端末側記憶部１５４に記憶されている建物情報に基づいて、フロア選択画面画像を表示部１５１に表示させる（Ｓ１０）。
図７は、フロア選択画面画像の一例を示す概略図である。
図７に示されているように、フロア選択画面画像１７０は、フロアを模式的に示した建物の部分画像１７０ａと、フロアの選択完了を示す入力領域であるＯＫボタン１７０ｂと、フロアの選択のキャンセルを示す入力領域であるＣＡＮＣＥＬボタン１７０ｃとを含む。
フロア選択画面画像１７０は、表示部１５１の表示面１５１ａに表示されている。
【００３５】
次に、ユーザは、フロア選択画面画像１７０において、風向及び風量の設定を行うフロアを選択する（Ｓ１１）。
例えば、ユーザは、部分画像１７０ａの中から、設定したいフロアを選択する。図７に示されているように、フロアが選択されると、選択されたフロアの階数がフロア選択画面画像１７０に表示される。ユーザが、フロアを選択して、ＯＫボタン１７０ｂを押した場合には、処理はステップＳ１２に進む。ユーザが、ＣＡＮＣＥＬボタン１７０ｃを押した場合には、フロアの選択がキャンセルされ、設定操作のためのアプリケーションが終了する。
【００３６】
ステップＳ１２では、端末側制御部１５５は、端末側記憶部１５４に記憶されているフロア情報に基づいて、選択されたフロアにおいて室内機１１０が設置されている部屋のサイズを縮尺して、その部屋のレイアウトの詳細を入力するためのレイアウト入力画面画像を表示部１５１に表示させる。
図８は、レイアウト入力画面画像の一例を示す概略図である。
図８に示されているように、レイアウト入力画面画像１７１は、選択されたフロアにおいて室内機１１０が設置されている部屋のレイアウトを模式的に示した部分画像１７１ａと、入力完了を示す入力領域であるＯＫボタン１７１ｂと、入力のキャンセルを示す入力領域であるＣＡＮＣＥＬボタン１７１ｃとを含む。ここでの部分画像１７１ａは、対応する部屋の見取り図である。
なお、レイアウト入力画面画像１７１は、表示部１５１の表示面１５１ａに表示されている。
【００３７】
次に、ユーザは、レイアウト入力画面画像１７１において、部屋のレイアウトの詳細を入力する（Ｓ１３）。
例えば、ユーザは、図８に示されているように、部分画像１７１ａにおいて、仕切り１７１ｄを入力することで、間取りを入力することができる。また、ユーザは、ドア１７１ｅ又は窓１７１ｆ等を入力することもできる。
なお、レイアウトの詳細として入力する仕切り１７１ｄ、ドア１７１ｅ及び窓１７１ｆ等のオブジェクトは、図示されてはいないが、予め、オブジェクト画像が用意されており、ユーザが、入力部１５２で、配置するオブジェクトを指定することにより、指定されたオブジェクトのオブジェクト画像がレイアウト入力画面画像１７１に表示される。そして、ユーザは、表示されたオブジェクト画像をレイアウト入力画面画像１７１の所望の位置に配置する。
ユーザが、ＯＫボタン１７１ｂを押した場合には、処理はステップＳ１４に進み、ＣＡＮＣＥＬボタン１７１ｃを押した場合には、処理はステップＳ１０に戻る。
なお、ここでは、ユーザがレイアウトの詳細を入力するようにしているが、例えば、操作端末１５０が予め記憶しているフロア情報に、フロアに設けられている部屋の詳細なレイアウトの情報が含まれていてもよい。このような場合には、ユーザが、レイアウトの詳細を入力する手間を省くことができる。
【００３８】
ステップＳ１４では、端末側制御部１５５は、端末側通信部１５３を介して、リモコン１３０と通信を行い、選択されたフロアの部屋に存在する室内機１１０を特定し、ステップＳ１３で入力されたオブジェクト画像を含むレイアウトと、特定された室内機１１０に対応するアイコンとを含むフロア画面画像を表示部１５１に表示させる。
ここで、本実施の形態では、リモコン１３０と、操作端末１５０とは、Ｂｌｕｅｔｏｏｔｈ（登録商標）等の近距離無線通信で接続されることを想定している。このため、操作端末１５０は、選択されたフロアでは、そのフロアの部屋に設置されている室内機１１０のリモコン１３０のみと通信が可能であるものとする。
そして、端末側制御部１５５は、端末側通信部１５３を介して、リモコン１３０に、室内機１１０の確認要求を行い、その応答を受け取ることで、選択されたフロアの部屋に存在する室内機１１０を特定する。
【００３９】
図９は、フロア画面画像の一例を示す概略図である。
フロア画面画像１７２は、ステップＳ１３で入力されたオブジェクト画像を含むレイアウトを表す部分画像１７２ａと、配置の完了を示す入力領域であるＯＫボタン１７２ｂと、配置のキャンセルを示す入力領域であるＣＡＮＣＥＬボタン１７２ｃと、特定された室内機１１０を示す画像（室内機画像）であるアイコン１７２ｄ、１７２ｅ、１７２ｆとを含む。
なお、フロア画面画像１７２は、表示部１５１の表示面１５１ａに表示されている。
また、端末側制御部１５５は、表示されたアイコン１７２ｄ、１７２ｅ、１７２ｆの各々と、ステップＳ１４で特定された室内機１１０の各々との対応を認識しているものとする。
【００４０】
次に、ユーザは、室内機１１０に対応するアイコン１７２ｄ、１７２ｅ、１７２ｆを、部屋のレイアウトを表す部分画像１７２ａの適切な位置に配置する（Ｓ１５）。
例えば、ユーザは、表示部１５１及び入力部１５２を用いて、アイコン１７２ｄ、１７２ｅ、１７２ｆの各々を指でドラッグすることにより、部屋のレイアウトの適切な位置にアイコン１７２ｄ、１７２ｅ、１７２ｆを配置する。
なお、ユーザが、アイコン１７２ｄ、１７２ｅ、１７２ｆの何れかをタッチした場合には、端末側制御部１５５は、対応する室内機１１０を管理するリモコン１３０に対して、上下風向ベーン１１３を上下するようにコマンドを送る。リモコン１３０は、上下風向ベーン１１３が上下方向に短時間に動くように、接続されている室内機１１０の上下風向ベーン１１３を操作する。
これにより、ユーザは、アイコン１７２ｄ、１７２ｅ、１７２ｆと、室内機１１０との対応を認識することができる。
また、ユーザが、アイコン１７２ｄ、１７２ｅ、１７２ｆの何れかをタッチした場合に、端末側制御部１５５は、対応する室内機１１０を管理するリモコン１３０に対して、運転状態を示すＬＥＤを点滅させるようにコマンドを送ってもよい。
【００４１】
また、室内機１１０には、上下風向ベーン１１３及び左右風向ベーン１１２の部屋に対する位置（向き）を決定するための識別標識であるマークが、例えば、室内機１１０の四隅の何れか１つに描かれている。そして、アイコン１７２ｄ、１７２ｅ、１７２ｆにも、対応する位置にマーク１７２ｇ、１７２ｈ、１７２ｉが描かれている。ユーザは、これらのマーク１７２ｇ、１７２ｈ、１７２ｉの位置を、室内機１１０に描かれているマークの位置に合せるように、アイコン１７２ｄ、１７２ｅ、１７２ｆを回転させることで、上下風向ベーン１１３及び左右風向ベーン１１２の部屋に対する位置を合せることができる。
【００４２】
ユーザが、ＯＫボタン１７２ｂを押した場合には、処理はステップＳ１６に進み、ＣＡＮＣＥＬボタン１７２ｃを押した場合には、処理はステップＳ１２に戻る。
なお、ここでは、ユーザが室内機１１０に対応するアイコン１７２ｄ、１７２ｅ、１７２ｆを、部屋のレイアウトを示す部分画像１７２ａを配置するようにしているが、例えば、操作端末１５０が予め記憶しているフロア情報に、部屋に設置されている室内機１１０の位置及び向きを示す情報が含まれていてもよい。このような場合には、ユーザが、室内機１１０に対応するアイコン１７２ｄ、１７２ｅ、１７２ｆを配置する手間を省くことができる。
【００４３】
ステップＳ１６では、端末側制御部１５５は、気流を入力するための気流入力画面画像を表示部１５１に表示させる。
図１０は、気流入力画面画像の一例を示す概略図である。
図１０に示されているように、気流入力画面画像１７３は、部屋のレイアウトを模式的に示した部分画像１７３ａと、気流の入力完了を示す入力領域であるＯＫボタン１７３ｂと、入力のキャンセルを示す入力領域であるＣＡＮＣＥＬボタン１７３ｃとを含む。
なお、気流入力画面画像１７３は、表示部１５１の表示面１５１ａに表示されている。
部分画像１７３ａには、室内機１１０に対応するアイコン１７３ｄ、１７３ｅ、１７３ｆが、ステップＳ１５で入力された位置に配置されている。
【００４４】
次に、ユーザは、気流入力画面画像１７３において、気流を示す軌跡の入力を行う（Ｓ１７）。
例えば、ユーザは、表示部１５１及び入力部１５２を用いて、図１１に示されているように、アイコン１７３ｄ、１７３ｅ、１７３ｆの少なくとも１つから、風を流す方向に向けて、風量が多いほど長い軌跡となるように、指でドラッグする。図１１に示されているように、気流入力画面画像１７３には、ドラッグされた方向に矢印が表示される。アイコン１７３ｄ、１７３ｅ、１７３ｆから長い距離ドラッグした場合には、長く太い矢印が表示される。これは、強い風を送風すること（風量を多くすること）を示す。
本実施の形態では、ユーザは、気流を直線となるように入力するものとする。
【００４５】
ユーザが、ＯＫボタン１７３ｂを押した場合には、処理はステップＳ１８に進み、ＣＡＮＣＥＬボタン１７３ｃを押した場合には、処理はステップＳ１４に戻る。
【００４６】
ステップＳ１８では、端末側制御部１５５は、ステップＳ１７で入力された軌跡に基づいて、室内機１１０の風向及び風量を特定し、特定された風向に基づいて、室内機１１０の左右風向ベーン１１２の向きを特定するとともに、室内機１１０のファン１１１からの風量を特定する。そして、特定された左右風向ベーン１１２の向き（左右風向ベーン１１２の設定）及び特定されたファン１１１からの風量（ファン１１１の設定）を表す風向風量確認画面画像を表示部１５１に表示させる。
【００４７】
図１２は、風向風量確認画面画像の一例を示す概略図である。
図１２に示されているように、風向風量確認画面画像１７４は、部屋のレイアウトを模式的に示した部分画像１７４ａと、風向及び風量の確認完了を示す入力領域であるＯＫボタン１７３ｂと、風向及び風量のキャンセルを示す入力領域であるＣＡＮＣＥＬボタン１７３ｃとを含む。
なお、風向風量確認画面画像１７４は、表示部１５１の表示面１５１ａに表示されている。
【００４８】
部分画像１７４ａには、室内機１１０に対応するアイコン１７４ｄ、１７４ｅ、１７４ｆが適切な位置に配置され、各々のアイコン１７４ｄ、１７４ｅ、１７４ｆが備える左右風向ベーン１１２の向き及び各々のアイコン１７４ｄ、１７４ｅ、１７４ｆで示される室内機１１０のファン１１１からの風量が示されている。
【００４９】
ここで、室内機１１０の左右風向ベーン１１２の向き及びファン１１１からの風量の特定の方法を説明する。図１３に示されているように、室内機１１０が四つの左右風向ベーン１１２ａ、１１２ｂ、１１２ｃ、１１２ｄを備えており、ステップＳ１７において入力された軌跡の方向（入力された直線の始点から終点への方向）が、方向Ｄであるものとする。
左右風向ベーン１１２ａ、１１２ｂに対して、方向Ｄは室内機１１０の内側に向かってしまうため、端末側制御部１５５は、左右風向ベーン１１２ａ、１１２ｂには、向きを設定しない。
左右風向ベーン１１２ｃ、１１２ｄに対して、方向Ｄは室内機１１０の外側に向かっているため、端末側制御部１５５は、左右風向ベーン１１２ｃ、１１２ｄには、向きを設定する。ここで設定される向きは、方向Ｄである。
また、ファン１１１からの風量は、ステップＳ１７で入力された軌跡の長さに応じて決定される。例えば、予め定められた長さの範囲に対して、室内機１１０のファン１１１に設定することのできる風量を対応付けておけばよい。
なお、軌跡の長さは、表示部１５１及び入力部１５２を用いて実際に入力された長さであってもよい。また、表示部１５１に表示された部屋の縮尺度に基づいて、表示部１５１及び入力部１５２を用いて実際に入力された長さを、部屋における長さに拡大してもよい。
【００５０】
図１２に示されているように、向きが設定されなかった左右風向ベーン１１２に隣接する位置には、「×」が表示され、向きが設定された左右風向ベーン１１２に隣接する位置には、設定された向きを示す矢印とファン１１１の風量を示す文字列とが表示される。
なお、１つの室内機１１０のファン１１１には、１つの風量が設定されるものとする。
また、向きが設定されなかった左右風向ベーン１１２及び上下風向ベーン１１３は、初期状態のままとするか、又は、閉じた状態とする。
【００５１】
ユーザが、ＯＫボタン１７４ｂを押した場合には、処理はステップＳ１９に進み、ＣＡＮＣＥＬボタン１７４ｃを押した場合には、処理はステップＳ１６に戻る。
【００５２】
ステップＳ１９では、端末側制御部１５５は、ステップＳ１８において特定された、左右風向ベーン１１２毎の向き及びファン１１１からの風量に従って、部屋における温度分布を推定（算出）し、その結果を示す温度分布確認画面画像を表示部１５１に表示させる。
例えば、端末側制御部１５５は、リモコン１３０から各室内機１１０の吸い込み温度と吹き出し温度とを取得する。これらが取得できない場合は、予め設定された値が用いられる。
室内機１１０から送られる風は、室内機１１０から出た直後は吹き出し温度に一致するものとする。この温度は、風量強の場合は５ｍ、風量中の場合は３ｍ、風量弱の場合は１ｍ離れた場所で、吸い込み温度、すなわち室温に一致するものとする。これらの間の空間の温度は、吹き出し温度と、吸い込み温度の間を線形補完することにより算出されるものとする。
【００５３】
例えば、図１４に示されているように、室内機１１０の左右風向ベーン１１２ａに設定されている向きが、方向Ｄ０であり、室内機１１０のファン１１１からの風量が強であるものとする。
まず、端末側制御部１５５は、左右風向ベーン１１２ａから方向Ｄ０に向かう領域、即ち、図１４において、左右風向ベーン１１２ａの端部Ｅ１から方向Ｄ０に向かう線分Ｓ１と端部Ｅ２から方向Ｄ０に向かう線分Ｓ２との間の領域Ｒの温度分布を算出する。
吹き出し温度が１０℃であり、吸い込み温度が３０℃である場合、この領域Ｒでは、室内機１１０から１ｍの位置での温度は１４℃、２ｍの位置の温度は１８℃、３ｍの位置の温度は２２℃、４ｍの位置の温度は２６℃、５ｍの位置の温度は３０℃となる。
【００５４】
次に、端末側制御部１５５は、その他の領域の温度分布を算出する。その他の領域では、室内機１１０からの距離を、方向Ｄ０への距離と、方向Ｄ０から垂直の方向Ｄ１又は方向Ｄ２への距離とを合算することで算出する。例えば、図１４において、線分Ｓ１の上の領域に含まれる位置Ｐでは、端部Ｅ１から方向Ｄ０における距離Ｉ１と、線分Ｓ１から方向Ｄ１における距離Ｉ２とを合算することで、室内機１１０から距離を算出する。具体的には、距離Ｉ１が１ｍ、距離Ｉ２が１ｍである場合、位置Ｐにおける温度は、室内機１１０から２ｍあるため、１８℃となる。
なお、以上の計算方法は一例であって、別の計算方法を用いて温度が算出されてもよい。
【００５５】
図１５は、温度分布確認画面画像の一例を示す概略図である。
図１５に示されているように、温度分布確認画面画像１７５は、部屋のレイアウトを模式的に示した部分画像１７５ａと、温度分布の確認完了を示す入力領域であるＯＫボタン１７５ｂと、キャンセルを示す入力領域であるＣＡＮＣＥＬボタン１７５ｃとを含む。
なお、温度分布確認画面画像１７５は、表示部１５１の表示面１５１ａに表示されている。
部分画像１７５ａでは、端末側制御部１５５で算出された温度を、予め定められた複数の温度範囲に分類して、分類された温度範囲を示す領域１７５ｄ、１７５ｅ、１７５ｆが示されている。
【００５６】
ユーザが、ＯＫボタン１７５ｂを押した場合には、処理はステップＳ２０に進み、ＣＡＮＣＥＬボタン１７５ｃを押した場合には、処理はステップＳ１６に戻る。
【００５７】
ステップＳ２０では、操作端末１５０は、室内機１１０の左右風向ベーン１１２の向き及び風量の設定を行う。本実施の形態では、室内機１１０には、複数の左右風向ベーン１１２が備えられており、複数の左右風向ベーン１１２に各々に、個別に向きの設定を行うことができるため、操作端末１５０は、左右風向ベーン１１２の各々の向きを設定する。
【００５８】
例えば、操作端末１５０の端末側制御部１５５は、各々の室内機１１０に対して、各々左右風向ベーン１１２の向きの設定と、風量の設定とを示すコマンド（第１コマンド）を生成する。そして、端末側制御部１５５は、生成されたコマンドを、端末側通信部１５３に送り、端末側通信部１５３は、各々のリモコン１３０に対してコマンドを送信する。
各々のリモコン１３０では、第１通信部１３２が、自装置に接続されている室内機１１０のコマンドを受信し、受信されたコマンドを制御部１３４に送る。制御部１３４は、受け取ったコマンドを室内機１１０用に変換し、変換されたコマンドを第２通信部１３３に送る。第２通信部１３３は、受け取ったコマンドを室内機１１０に送る。
室内機１１０では、機器側通信部１１５がコマンドを受信し、そのコマンドを機器側制御部１１６に与える。機器側制御部１１６は、受け取ったコマンドに従って、左右風向ベーン１１２の向きを調整するとともに、モータ１１４の回転速度を調整することにより、ファン１１１からの風量を調整する。
【００５９】
次に、端末側制御部１５５は、上下風向ベーン１１３の向きを入力する室内機１１０を選択するための室内機選択画面画像を表示部１５１に表示させる（Ｓ２１）。
【００６０】
図１６は、室内機選択画面画像の一例を示す概略図である。
図１６に示されているように、室内機選択画面画像１７６は、部屋のレイアウトを模式的に示した部分画像１７６ａと、上下方向の向きの入力完了を示す入力領域であるＯＫボタン１７６ｂと、入力のキャンセルを示す入力領域であるＣＡＮＣＥＬボタン１７６ｃとを含む。
なお、室内機選択画面画像１７６は、表示部１５１の表示面１５１ａに表示されている。
ここで、部分画像１７６ａでは、室内機１１０に対応するアイコン１７６ｄ、１７６ｅ、１７６ｆが配置されており、アイコン１７６ｄ、１７６ｅ、１７６ｆから構成できる全てのペアが破線で結ばれている。
【００６１】
次に、ユーザは、室内機選択画面画像１７６において、上下方向の風向を入力する室内機１１０のペアを選択する（Ｓ２２）。
例えば、ユーザは、表示部１５１及び入力部１５２を用いて、部分画像１７６ａに含まれている破線から、上下方向の風向を入力する室内機１１０のペアに対応するアイコンを結んでいる破線を選択する。ユーザが選択を行った場合には、処理はステップＳ２３に進む。
【００６２】
ステップＳ２３では、端末側制御部１５５は、選択された室内機１１０の上下方向の風向を入力するための上下風向入力画面画像を表示部１５１に表示させる。
【００６３】
図１７は、上下風向入力画面画像の一例を示す概略図である。
図１７に示されているように、上下風向入力画面画像１７７は、選択された室内機１１０の風向を入力するための部分画像１７７ａと、選択された室内機１１０の上下方向の風向の入力完了を示す入力領域であるＯＫボタン１７７ｂと、入力のキャンセルを示す入力領域であるＣＡＮＣＥＬボタン１７７ｃとを含む。
なお、上下風向入力画面画像１７７は、表示部１５１の表示面１５１ａに表示されている。
ここで、部分画像１７７ａには、選択された室内機１１０に対応するアイコン１７７ｄ、１７７ｅが配置されており、選択された室内機１１０の上下方向の風向を示す矢印１７７ｆ、１７７ｇが表示されている。なお、矢印１７７ｆ、１７７ｇの長さは、ステップＳ１７で入力された軌跡の長さ（風量）に対応しているものとする。また、矢印１７７ｆ、１７７ｇの向きは、対応する室内機の上下風向ベーン１１３の向きである。
【００６４】
次に、ユーザは、上下風向入力画面画像１７７において、必要がある場合には、上下方向の風向を変更する（Ｓ２４）。
例えば、ユーザは、表示部１５１及び入力部１５２を用いて、部分画像１７７ａに含まれている矢印１７７ｆ、１７７ｇが指す方向を変更することにより、上下方向の風向を変更する。
【００６５】
ユーザが、ＯＫボタン１７７ｂを押した場合には、端末側通信部１５３は、上下風向入力画面画像１７７で示されている矢印に対応する上下風向ベーン１１３の向きの設定を、各々の室内機１１０に対応付けて、端末側記憶部１５４に記憶して、処理をステップＳ２５に進める。一方、ユーザがＣＡＮＣＥＬボタン１７７ｃを押した場合には、端末側通信部１５３は、上下風向入力画面画像１７７において入力された変更をキャンセルして、処理をステップＳ２５に進める。
【００６６】
ステップＳ２５では、端末側制御部１５５は、再度、室内機選択画面画像１７６（図１６参照）を表示部１５１に表示させる。
そして、ユーザが、上下方向の風向を入力する室内機１１０のペアに対応するアイコンを結んでいる破線を選択した場合（Ｓ２６でＹｅｓ）には、処理はステップＳ２３に戻る。一方、ユーザが、ＯＫボタン１７６ｂ又はＣＡＮＣＥＬボタン１７６ｃを押した場合（Ｓ２６でＮｏ）には、処理はステップＳ２７に進む。
【００６７】
ステップＳ２７では、端末側制御部１５５は、ユーザがＣＡＮＣＥＬボタン１７６ｃを押した場合（Ｓ２７でＹｅｓ）には、端末側通信部１５３は、端末側記憶部１５４に記憶させた、各々の室内機１１０の上下風向ベーン１１３の向きの設定を削除して、処理を終了する。一方、ユーザがＯＫボタン１７６ｂを押した場合（Ｓ２７でＮｏ）には、端末側制御部１５５は、処理をステップＳ２８に進める。
【００６８】
ステップＳ２８では、操作端末１５０は、室内機１１０の上下風向ベーン１１３の設定を行う。本実施の形態では、室内機１１０には、複数の上下風向ベーン１１３が備えられているが、１つの室内機１１０で、上下風向ベーン１１３の設定は１つであるものとする。
【００６９】
例えば、操作端末１５０の端末側制御部１５５は、端末側記憶部１５４に記憶されている、各々の室内機１１０の上下風向ベーンの向きの設定に従って、各々の室内機１１０に対して、上下風向ベーン１１３の向きの設定を示すコマンド（第２コマンド）を生成する。そして、端末側制御部１５５は、生成されたコマンドを、端末側通信部１５３に送り、端末側通信部１５３は、各々のリモコン１３０に対してコマンドを送信する。
各々のリモコン１３０では、第１通信部１３２が、自装置に接続されている室内機１１０のコマンドを受信し、受信されたコマンドを制御部１３４に送る。制御部１３４は、受け取ったコマンドを室内機１１０用に変換し、変換されたコマンドを第２通信部１３３に送る。第２通信部１３３は、受け取ったコマンドを室内機１１０に送る。
室内機１１０では、機器側通信部１１５がコマンドを受信し、そのコマンドを機器側制御部１１６に与える。機器側制御部１１６は、受け取ったコマンドに従って、上下風向ベーン１１３の向きを調整する。
なお、ステップＳ２８において、端末側記憶部１５４に、各々の室内機１１０の上下風向ベーン１１３の向きの設定が記憶されていない場合には、操作端末１５０は、室内機１１０の上下風向ベーン１１３の設定を行わずに、処理を終了する。
【００７０】
以上のように、実施の形態によれば、複数の室内機１１０の左右風向ベーン１１２及び上下風向ベーン１１３の設定を容易に行うことができる。
【００７１】
例えば、ユーザは、操作端末１５０の表示面１５１ａに気流を示す直線の軌跡の入力を行うことで、そのような軌跡に対応する風向及び風量を、少なくとも１つの室内機１１０に設定することができる。
【００７２】
また、ユーザが軌跡を入力することで設定された内容が、風向風量確認画面画像１７４として表示されるため、ユーザは、自身が設定した内容を容易に確認することができる。
【００７３】
また、ユーザが軌跡を入力することで設定された内容に基づく温度分布が、温度分布確認画面画像１７５として表示されるため、ユーザは、自身が設定した内容による効果を容易に確認することができる。
【００７４】
さらに、ユーザは、１つの画面画像を用いて、２つの室内機１１０の上下方向の風向を設定することができる。
【００７５】
以上に記載された実施の形態においては、端末側制御部１５５は、図１１に示されているように、気流入力画面画像１７３において、気流を示す直線の軌跡の入力を受け付けているが、実施の形態は、このような例に限定されない。
例えば、図１８に示されているように、端末側制御部１５５は、気流を示す軌跡として、２つ以上のアイコン１７３ｄ、１７３ｅ、１７３ｆ間を一つの曲線で結ぶような曲線の入力を受け付けてもよい。
このような場合には、端末側制御部１５５は、２つのアイコン間の曲線を直線で近似することにより、風向及び風量を決定すればよい。ここでの風量は、２つのアイコン間の距離となる。
【００７６】
具体的には、端末側制御部１５５は、曲線で結ばれた２つのアイコンを、入力された軌跡が経由する順番に従って、第１アイコン及び第２アイコンとして特定する。そして、端末側制御部１５５は、入力された曲線の内、第１アイコンと第２アイコンとの間の部分を直線に近似した近似直線における始点から終点への方向を、第１アイコンに対応する第１室内機１１０の左右方向の風向として特定するとともに、第１アイコンと第２アイコンとの間の距離が長ければ長いほど第１室内機１１０からの風量が増えるように、第１室内機１１０の風量を特定し、特定された風向及び特定された風量を第１室内機１１０に設定するためのコマンドを生成する。
【００７７】
以上のような変形例によれば、ユーザは、１つの画面画像を用いて、１つの曲線を入力することで、複数の室内機１１０の風向及び風量を容易に設定することができる。
【００７８】
以上に記載された実施の形態においては、リモコン１３０の制御部１３４は、第１通信部１３２で受信されたコマンドを、自装置に接続されている室内機１１０が解釈できるコマンドに変換して、変換されたコマンドを第２通信部１３３から室内機１１０に送っているが、実施の形態は、このような例に限定されない。
例えば、操作端末１５０が、室内機１１０で解釈可能なコマンドを生成できる場合には、リモコン１３０の制御部１３４は、第１通信部１３２で受信されたコマンドを、そのまま、第２通信部１３３から室内機１１０に送ってもよい。このような場合には、リモコン１３０は、単に、コマンドを中継する中継装置として機能する。
【００７９】
また、操作端末１５０が、室内機１１０で解釈可能なコマンドを生成できる場合には、操作端末１５０から室内機１１０に直接コマンドを送信してもよい。
このような場合には、図１９に示されているように、室内機１１０＃は、リモコン１３０と通信を行う第１機器側通信部１１７と、操作端末１５０と通信を行う第２機器側通信部１１８とを備えていればよい。
また、図２に示されている機器側通信部１１５と、図４に示されている第２通信部１３３とが、無線で通信を行っている場合には、図２に示されている機器側通信部１１５が、操作端末１５０の端末側通信部１５３と無線で通信を行ってもよい。
【００８０】
さらに、操作端末１５０の端末側制御部１５５がリモコン１３０へのコマンド（リモコンコマンド）を生成して、端末側通信部１５３を介して、そのコマンドをリモコン１３０に送り、リモコン１３０の制御部１３４が、受け取ったコマンドに従って、自装置に接続されている室内機１１０が解釈できるコマンド（室内機コマンド）を生成し、生成されたコマンドを第２通信部１３３から室内機１１０に送ってもよい。
【００８１】
以上に記載された実施の形態においては、室内機１１０は、空調用の天井カセット型の室内機であり、４方向に吹き出し口が付いているものとしたが、本実施の形態は、このような例に限定されない。室内機１１０は、１つ以上の吹き出し口を有すればよい。このため、室内機１１０は、１つ以上の左右風向ベーン１１２及び上下風向ベーン１１３を備えていればよい。
【符号の説明】
【００８２】
１００  空調システム、  １１０  室内機、  １１１  ファン、  １１２  左右風向ベーン、  １１３  上下風向ベーン、  １１４  モータ、  １１５  機器側通信部、  １１６  機器側制御部、  １３０  リモコン、  １３１  記憶部、  １３２  第１通信部、  １３３  第２通信部、  １３４  制御部、  １５０  操作端末、  １５１  表示部、  １５２  入力部、  １５３  端末側通信部、  １５４  端末側記憶部、  １５５  端末側制御部。
【図１】
2019087376.tif 000003
【図２】
2019087376.tif 000004
【図３】
2019087376.tif 000005
【図４】
2019087376.tif 000006
【図５】
2019087376.tif 000007
【図６】
2019087376.tif 000008
【図７】
2019087376.tif 000009
【図８】
2019087376.tif 000010
【図９】
2019087376.tif 000011
【図１０】
2019087376.tif 000012
【図１１】
2019087376.tif 000013
【図１２】
2019087376.tif 000014
【図１３】
2019087376.tif 000015
【図１４】
2019087376.tif 000016
【図１５】
2019087376.tif 000017
【図１６】
2019087376.tif 000018
【図１７】
2019087376.tif 000019
【図１８】
2019087376.tif 000020
【図１９】
2019087376.tif 000021
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
部屋の空気を調和するために前記部屋に設置される複数の室内機に設定を行う操作端末であって、
前記複数の室内機に対応する複数のアイコン、及び、前記部屋のレイアウトを表す気流入力画面画像を表示する表示面を備える表示部と、
前記気流入力画面画像が表示された状態で、前記表示面において操作の入力を受け付ける入力部と、
前記操作の軌跡に対応する風向及び風量を、前記複数の室内機の少なくとも１つに設定するための第１コマンドを送信する端末側通信部と、を備えること
を特徴とする操作端末。
【請求項２】
前記第１コマンドを生成する端末側制御部をさらに備え、
前記入力部は、前記操作として、前記複数のアイコンの内の少なくとも１つのアイコンからの気流を示す直線の入力を受け付け、
前記端末側制御部は、前記直線における始点から終点への方向を、前記複数の室内機の内の、前記少なくとも１つのアイコンに対応する少なくとも１つの室内機の左右方向の風向として特定するとともに、前記直線の長さが長いほど前記少なくとも１つの室内機からの風量が増えるように、前記少なくとも１つの室内機の風量を特定し、前記特定された風向及び前記特定された風量を前記少なくとも１つの室内機に設定するための前記第１コマンドを生成すること
を特徴とする請求項１に記載の操作端末。
【請求項３】
前記端末側制御部は、前記少なくとも１つの室内機において左右方向の風向を調整する複数の左右風向ベーンの内、少なくとも１つの左右風向ベーンの向きを、前記特定された風向となるように設定するとともに、前記少なくとも１つの室内機におけるファンからの風量を、前記特定された風量となるように設定すること
を特徴とする請求項２に記載の操作端末。
【請求項４】
前記第１コマンドを生成する端末側制御部をさらに備え、
前記入力部は、前記操作として、前記複数のアイコンの内、第１アイコン及び第２アイコンを、前記第１アイコン及び前記第２アイコンの順番で経由する曲線の入力を受け付け、
前記端末側制御部は、前記曲線の内、前記第１アイコンと前記第２アイコンとの間の部分を直線に近似した近似直線における始点から終点への方向を、前記複数の室内機の内の、前記第１アイコンに対応する第１室内機の左右方向の風向として特定するとともに、前記第１アイコンと前記第２アイコンとの間の距離が長ければ長いほど前記第１室内機からの風量が増えるように、前記第１室内機の風量を特定し、前記特定された風向及び前記特定された風量を前記第１室内機に設定するための前記第１コマンドを生成すること
を特徴とする請求項１に記載の操作端末。
【請求項５】
前記端末側制御部は、前記第１室内機において左右方向の風向を調整する複数の左右風向ベーンの内、少なくとも１つの左右風向ベーンの向きを、前記特定された風向となるように設定するとともに、前記第１室内機におけるファンからの風量を、前記特定された風量となるように設定すること
を特徴とする請求項４に記載の操作端末。
【請求項６】
前記表示部は、前記複数のアイコン及び前記レイアウトを表すとともに、前記複数のアイコンに対応する前記複数の室内機における、前記少なくとも１つの左右風向ベーンの向き、及び、前記ファンからの風量を表す風向風量確認画面画像を表示すること
を特徴とする請求項３又は５に記載の操作端末。
【請求項７】
前記表示部は、前記複数のアイコン及び前記レイアウトを表すとともに、前記特定された風向及び前記特定された風量における前記部屋の温度の分布を表す温度分布確認画面画像を表示すること
を特徴とする請求項１から６の何れか一項に記載の操作端末。
【請求項８】
前記表示部は、前記複数のアイコン及び前記レイアウトを表す室内機選択画面画像を表示し、
前記入力部は、前記室内機選択画面画像が表示された状態で、前記表示面において、前記複数のアイコンの内、上下方向の風向を設定する２つの室内機に対応する２つのアイコンの選択の入力を受け付け、
前記表示部は、前記２つのアイコン、及び、前記２つのアイコンに対応する前記２つの室内機からの上下方向の風向を示す矢印を表す上下風向入力画面画像を表示し、
前記入力部は、前記上下風向入力画面画像が表示された状態で、前記表示面において、前記矢印の方向を変更する入力を受け付け、
前記端末側通信部は、前記変更された方向に応じて、前記２つの室内機の内の少なくとも何れか一方の上下方向の風向を、前記２つの室内機の内の少なくとも何れか一方に設定するための第２コマンドを送信すること
を特徴とする請求項１から７の何れか一項に記載の操作端末。
【請求項９】
コンピュータを、部屋の空気を調和するために前記部屋に設置される複数の室内機に設定を行う操作端末として機能させるプログラムであって、
前記コンピュータを、
前記複数の室内機に対応する複数のアイコン、及び、前記部屋のレイアウトを表す気流入力画面画像を表示する表示面を備える表示部、
前記気流入力画面画像が表示された状態で、前記表示面において操作の入力を受け付ける入力部、
前記操作の軌跡に対応する風向及び風量を、前記複数の室内機の少なくとも１つに設定するための第１コマンドを送信する端末側通信部、として機能させること
を特徴とするプログラム。
【請求項１０】
部屋の空気を調和するために前記部屋に設置される複数の室内機及び前記複数の室内機に設定を行う操作端末を備える空調システムであって、
前記操作端末は、
前記複数の室内機に対応する複数のアイコン、及び、前記部屋のレイアウトを表す気流入力画面画像を表示する表示面を備える表示部と、
前記気流入力画面画像が表示された状態で、前記表示面において操作の入力を受け付ける入力部と、
前記操作の軌跡に対応する風向及び風量を、前記複数の室内機の少なくとも１つに設定するための第１コマンドを送信する端末側通信部と、を備えること
を特徴とする空調システム。
【手続補正２】
【補正対象書類名】明細書
【補正対象項目名】０００７
【補正方法】変更
【補正の内容】
【０００７】
本発明の一態様に係る操作端末は、部屋の空気を調和するために前記部屋に設置される複数の室内機に設定を行う操作端末であって、前記複数の室内機に対応する複数のアイコン、及び、前記部屋のレイアウトを表す気流入力画面画像を表示する表示面を備える表示部と、前記気流入力画面画像が表示された状態で、前記表示面において操作の入力を受け付ける入力部と、前記操作の軌跡に対応する風向及び風量を、前記複数の室内機の少なくとも１つに設定するための第１コマンドを送信する端末側通信部と、を備えることを特徴とする。
【手続補正３】
【補正対象書類名】明細書
【補正対象項目名】０００８
【補正方法】変更
【補正の内容】
【０００８】
本発明の一態様に係るプログラムは、コンピュータを、部屋の空気を調和するために前記部屋に設置される複数の室内機に設定を行う操作端末として機能させるプログラムであって、前記コンピュータを、前記複数の室内機に対応する複数のアイコン、及び、前記部屋のレイアウトを表す気流入力画面画像を表示する表示面を備える表示部、前記気流入力画面画像が表示された状態で、前記表示面において操作の入力を受け付ける入力部、前記操作の軌跡に対応する風向及び風量を、前記複数の室内機の少なくとも１つに設定するための第１コマンドを送信する端末側通信部、として機能させることを特徴とする。
【手続補正４】
【補正対象書類名】明細書
【補正対象項目名】０００９
【補正方法】変更
【補正の内容】
【０００９】
本発明の一態様に係る空調システムは、部屋の空気を調和するために前記部屋に設置される複数の室内機及び前記複数の室内機に設定を行う操作端末を備える空調システムであって、前記操作端末は、前記複数の室内機に対応する複数のアイコン、及び、前記部屋のレイアウトを表す気流入力画面画像を表示する表示面を備える表示部と、前記気流入力画面画像が表示された状態で、前記表示面において操作の入力を受け付ける入力部と、前記操作の軌跡に対応する風向及び風量を、前記複数の室内機の少なくとも１つに設定するための第１コマンドを送信する端末側通信部と、を備えることを特徴とする。
【国際調査報告】
2019087376.tif 000022
2019087376.tif 000023
2019087376.tif 000024